(57)【要約】【課題】当初のダイエットの計画を完遂することができなかった。【解決手段】一日当たりの摂取したカロリー及び体重を入力するための入力部と、前記摂取したカロリー及び前記体重の履歴を記憶する記憶部と、ダイエットの途中で、ダイエットのための残り日数と現在の体重とから、前記残りの日数で当初の目標体重に到達するために必要な、一日当たりに摂取可能なカロリーの上限値を算出する処理部と、を含む。【選択図】図１
2009265791.tif 000002
【特許請求の範囲】
【請求項１】
一日当たりの摂取したカロリー及び体重を入力するための入力部と、
前記摂取したカロリー及び前記体重の履歴を記憶する記憶部と、
ダイエットの途中で、ダイエットのための残り日数と現在の体重とから、前記残りの日数で当初の目標体重に到達するために必要な、一日当たりに摂取可能なカロリーの上限値を算出する処理部と、を含むことを特徴とするダイエット支援システム。
【請求項２】
前記記憶部は、ＦｅＲＡＭであることを特徴とするダイエット支援システム。
【発明の詳細な説明】
【技術分野】
【０００１】
本発明は、ダイエット支援システムに関する。
【背景技術】
【０００２】
下記の特許文献１に記載された従来の体重計測ダイエット装置は、ダイエットのモチベーションを維持すべく、体重の変化をグラフで表す。
【０００３】
【特許文献１】特開２００５−３５１８３０号公報
【発明の開示】
【発明が解決しようとする課題】
【０００４】
しかしながら、上記した従来の体重計測ダイエット装置では、例えば、「２ヶ月間で７ｋｇ痩せる。」というダイエットの計画について、既に１ヶ月を経過しているにも拘わらず、まだ、１ｇしか痩せていないとき、残り２ヶ月の間に、一日当たりに摂取するカロリーをどれくらいに抑えれば、残りの６ｋｇを痩せることができるかを知ることができず、その結果、当初のダイエットの計画を完遂することができないという問題があった。
【課題を解決するための手段】
【０００５】
本発明は、上記した課題を解決すべく、以下の適用例により実現される。
【０００６】
［適用例１］
一日当たりの摂取したカロリー及び体重を入力するための入力部と、
前記摂取したカロリー及び前記体重の履歴を記憶する記憶部と、
ダイエットの途中で、ダイエットのための残り日数と現在の体重とから、前記残りの日数で当初の目標体重に到達するために必要な、一日当たりに摂取可能なカロリーの上限値を算出する処理部と、を含むことを特徴とするダイエット支援システム。
【０００７】
適用例１のダイエット支援システムによれば、前記ダイエットの途中で、前記処理部が、残りの日数で当初の目標体重に到達するために必要な、一日当たりに摂取可能なカロリーの上限値を算出することから、ダイエットを行っている者は、前記ダイエットがこれまで順調に進んでいなくとも、今後、前記算出されたカロリーを超えないように飲食することにより、前記当初の目標体重に到達することが可能となる。
【０００８】
［適用例２］
前記記憶部は、ＦｅＲＡＭであることを特徴とするダイエット支援システム。
【発明を実施するための最良の形態】
【０００９】
実施例のダイエット支援システムについて図面を参照して説明する。
【００１０】
〈構成〉
図１は、実施例のダイエット支援システムの構成を示す。実施例のダイエット支援システムＳは、図１に示されるように、入力部ＩＮと、処理部ＨＡと、データベース部ＤＢと、記憶部ＳＴと、表示部ＤＰとを含む。
【００１１】
入力部ＩＮは、例えば、キーボード、マウス、マイクであり、ダイエットを行う者（以下、「ダイエット者」という。）が、日毎に、飲食した物（飲食物）、実際の摂取カロリー（例えば、１５００ｋｃａｌ）及び測定した体重（例えば、７０ｋｇ）を入力する。
【００１２】
処理部ＨＡは、例えば、ＣＰＵであり、図４に示されるように、ダイエットの計画（例えば、２ヶ月で７ｋｇ痩せる。）における、日々に目標とすべき、摂取可能な上限のカロリーである、『当初の目標摂取カロリー』（例えば、１６００ｋｃａｌ／日）に対し、残りの日数（例えば、１ヶ月間）で、未達成の体重（例えば、６ｋｇ）を減量することを実現するのに必要な、『修正後の目標摂取カロリー』（例えば、１４００ｋｃａｌ／日）を算出する。
【００１３】
データベース部ＤＢは、図２に示されるように、飲食物と当該飲食物のカロリーとの関係を記憶しており、例えば、パンのカロリーが２００ｋｃａｌであり、牛乳のカロリーが１５０ｋｃａｌであり、ハムエッグのカロリーが２５０ｋｃａｌである旨を記憶している。
【００１４】
記憶部ＳＴは、例えば、ＦｅＲＡＭであり、図３に示されるように、日毎に、体重、飲食物、実際の摂取カロリー、差分カロリー（目標摂取カロリーと実際の摂取カロリーとの差分）を記憶し、例えば、２００８年４月１日に、体重７０ｋｇであり、パン、牛乳、ハムエッグ等を飲食し、１５００ｋｃａｌを摂取し、目標の摂取カロリーと比較して−１００ｋｃａｌである旨を記憶している。
【００１５】
表示部ＤＰは、図４に示されるように、上記した『当初の目標摂取カロリー』（実線で図示。）に加えて、前記ダイエットの計画における、体重を減量させる当初のスケジュールである『当初の体重の減量予定線』（実線で図示。）を表示し、同様にして、上記した『修正後の目標摂取カロリー』（点線で図示。）に加えて、『修正後の目標摂取カロリー』に飲食を制限した場合の、体重を減量させるスケジュールである『修正後の体重の減量予定線』（点線で図示。）を表示する。
【００１６】
〈動作〉
実施例のダイエット支援システムの動作について説明する。説明及び理解を容易にすべく、ダイエットの計画は、「２ヶ月間で７ｋｇ痩せること、即ち、７０．０ｋｇから６３．０ｋｇに減量すること」であり、この計画を達成するには、『当初の目標摂取カロリー』（実線）によれば、「１６００ｋｃａｌ／日」以下に抑えなければならないことを想定する。
【００１７】
ステップＳ１：ダイエット者は、日々、体重を測定し、また、飲食した物をチェックし、また、データベースＤＢの検索により、飲食した物のカロリーを知得する。その結果として、ダイエット者は、前記体重、飲食した物、摂取したカロリーを入力部ＩＮから入力する。
【００１８】
ダイエット者は、図３に示されるように、例えば、２００８年４月１日、体重として７０．０ｋｇを入力し、飲食物として、パン、牛乳、ハムエッグ、りんご等の名称を入力し、更に、これらの総カロリーである実際に摂取したカロリーとして１５００ｋｃａｌを入力する。当該入力を受けて、処理部ＨＡは、差分カロリーとして、−１００ｃｋａｌ（＝１５００−１６００）を算出する。
【００１９】
ダイエット者は、同様に、２００８年４月２日、体重として７０．０ｋｇを入力し、飲食した物（具体的な内容は記載省略。）の名称を入力し、更に、実際に摂取した総カロリーとして１４００ｋｃａｌを入力する。この結果、処理部ＨＡは、差分カロリーとして、−２００ｃｋａｌ（＝１４００−１６００）を算出する。
【００２０】
以後、ダイエット者は、体重を測定し、かつ、飲食物及び摂取カロリーをチェックし、その体重、飲食物の名称、摂取したカロリーを入力することを毎日続ける。
【００２１】
ステップＳ２：ダイエットを開始してから１ヶ月を経過した時点（２００８年５月１日）で、ダイエットが予定通りに進んでいないところ、ダイエット者は、体重を測定する。この時点では、図４に示されるように、体重が６８．０ｋｇであることから、ダイエット者は、体重として、６８．０ｋｇを入力し、また、飲食した物、摂取カロリーを入力する。ここで、処理部ＨＡは、残り１ヶ月（５月）の間に、５．０ｋｇ（７．０ｋｇ−２．０ｋｇ）を痩せるために『修正後の目標摂取カロリー』（図４中の点線）を再計算することにより、上記した１６００ｋｃａｌ／日に代わる、１４００ｋｃａｌ／日を得ることができ、また、『修正後の体重の減量予定線』（図４中の点線）を得ることもできる。表示部ＤＰは、図４に示されるように、『修正後の目標摂取カロリー』及び『修正後の体重の減量予定線』を表示することにより、ダイエット者のモチベーションを高める。
【００２２】
ステップＳ３：ダイエット者は、２００８年５月１日以後は、摂取カロリーを１４００ｃａｌ／日に抑えてダイエットを継続する。これにより、２００８年４月１日から２ヶ月後の２００８年６月１日には、７．０ｋｇの減量を達成することができる。
【００２３】
〈効果〉
上述したように、実施例のダイエット支援システムＳでは、ダイエット者の体重の減量が計画通りに進んでいないとき、処理部ＨＡは、ダイエットの計画における残りの日数と、更に減量すべき体重と、これまでの摂取カロリーの履歴とから、残りの日数で、当初の目標の体重にまで減量するために必要な、新たな（修正後の）摂取カロリーの目標を設定し直すことから、ダイエット者は、それ以後、日々に摂取するカロリーを当該修正された摂取カロリー以内に抑えることを継続することにより、残りの日数内で残りの減量を達成することが可能となる。
【図面の簡単な説明】
【００２４】
【図１】実施例のダイエット支援システムの構成を示す。
【図２】実施例のデータベース部の記憶内容を示す。
【図３】実施例の記憶部の記憶内容を示す。
【図４】実施例の表示部の表示内容を示す。
【符号の説明】
【００２５】
Ｓ…ダイエット支援システム、ＩＮ…入力部、ＨＡ…処理部、ＤＢ…データベース部、ＳＴ…記憶部、ＤＰ…表示部。
【図１】
2009265791.tif 000003
【図２】
2009265791.tif 000004
【図３】
2009265791.tif 000005
【図４】
2009265791.tif 000006